【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
同相成分局部発振器信号（408）および複数の同相成分ビットを受信する複数の同相成分乗算セル（402）であって、各同相成分乗算セルが出力信号を、前記複数の同相成分ビットのうちの受信した同相成分ビットに応じて生成する、前記複数の同相成分乗算セル（402）と、
直交成分局部発振器信号（406）および複数の直交成分ビットを受信する複数の直交成分乗算セル（404）であって、各直交成分乗算セルが出力信号を、前記複数の直交成分ビットのうちの受信した直交成分ビットに応じて生成する、前記複数の直交成分乗算セル（404）と、
第1集合の前記複数の同相成分乗算セル、および第1集合の前記複数の直交成分乗算セルに接続される第1出力ライン（422、522）であって、該第1出力ラインで、前記第1集合の複数の同相成分乗算セルの出力信号、および前記第1集合の複数の直交成分乗算セルの出力信号から生成される第1出力信号を伝送する、前記第1出力ライン（422、522）と、
第2集合の前記複数の同相成分乗算セル、および第2集合の前記複数の直交成分乗算セルに接続される第2出力ライン（424、524）であって、該第2出力ラインで、前記第2集合の複数の同相成分乗算セルの出力信号、および前記第2集合の複数の直交成分乗算セルの出力信号から生成される第2出力信号を伝送する、前記第2出力ライン（424、524）と、
を備え、
前記複数の同相成分乗算セルおよび前記複数の直交成分乗算セルは、第1行および第2行に配置され、
各同相成分ビットは、最上位から最下位までの有効桁数を有し、2進重み付けされた複数の同相成分乗算セルは、各同相成分ビットに接続され、前記2進重み付けされた複数に相当するビット数は、前記同相成分ビットの前記有効桁数に一致し、
各直交成分ビットは、最上位から最下位までの有効桁数を有し、2進重み付けされた複数の直交成分乗算セルは、各直交成分ビットに接続され、前記2進重み付けされた複数に相当するビット数は、前記直交成分ビットの前記有効桁数に一致し、
同相成分乗算セル（404）は、最下位桁の同相成分ビットに接続され、かつ前記第1行の中心に配置され、
直交成分乗算セル（402）は、最下位桁の直交成分ビットに接続され、かつ前記第2行の中心に配置され、
同相成分乗算セル（404）は、最上位桁の同相成分ビットに接続され、かつ前記第2行の各端部に配置され、
直交成分乗算セル（402）は、最上位桁の直交成分ビットに接続され、かつ前記第1行の各端部に配置される、
装置。
【請求項２】
各同相成分ビットラインが、前記複数の同相成分ビットのうちの該当する同相成分ビットに対応する構成の複数の同相成分ビットライン（420、416、412）と、
各直交成分ビットラインが、前記複数の直交成分ビットのうちの該当する直交成分ビットに対応する構成の複数の直交成分ビットライン（418、414、410）と、
を更に備える、請求項1に記載の装置。
【請求項３】
前記第1行は、前記第1集合の複数の同相成分乗算セル、および前記第1集合の複数の直交成分乗算セルを含み、前記第2行は、前記第2集合の複数の同相成分乗算セル、および前記第2集合の複数の直交成分乗算セルを含む、請求項1に記載の装置。
【請求項４】
前記第1集合の複数の同相成分乗算セルは、前記第1集合の複数の直交成分乗算セルを挟んで交互に配置され、前記第2集合の複数の同相成分乗算セルは、前記第2集合の複数の直交成分乗算セルを挟んで交互に配置される、請求項3に記載の装置。
【請求項５】
前記複数の同相成分乗算セル、および前記複数の直交成分乗算セルは更に、複数の列に配置され、各列は、前記同相成分乗算セルのうちの1つの同相成分乗算セル、および前記直交成分乗算セルのうちの1つの直交成分乗算セルからなる、請求項1に記載の装置。
【請求項６】
前記第1集合の複数の同相成分乗算セル、および前記第1集合の複数の直交成分乗算セルは、整合要素で整合された乗算セルであり、かつ略同一のインピーダンスおよび伝搬遅延時間を有する、請求項1に記載の装置。
【請求項７】
前記第2集合の複数の同相成分乗算セル、および前記第2集合の複数の直交成分乗算セルは、整合要素で整合された乗算セルであり、かつ略同一のインピーダンスおよび伝搬遅延時間を有する、請求項6に記載の装置。
【請求項８】
前記第1集合の複数の同相成分乗算セルは、前記第1集合の複数の直交成分乗算セルを挟んで交互に配置され、前記第1集合の複数の同相成分乗算セルに含まれる乗算セルの数は、前記第1集合の複数の直交成分乗算セルに含まれる乗算セルの数よりも1つ少ない、請求項1に記載の装置。
【請求項９】
前記第2集合の複数の同相成分乗算セルは、前記第2集合の複数の直交成分乗算セルを挟んで交互に配置され、前記第2集合の複数の同相成分乗算セルに含まれる乗算セルの数は、前記第2集合の複数の直交成分乗算セルに含まれる乗算セルの数よりも1つ多い、請求項1に記載の装置。
【請求項１０】
複数の同相成分ビット、および複数の直交成分ビットを含むデジタル入力信号を伝送させるステップ（902）と、
複数の同相成分乗算セルの各同相成分乗算セルに、同相成分局部発振器信号、および前記複数の同相成分ビットのうちの1つの同相成分ビットを供給するステップ（904）と、
複数の同相成分アナログ出力信号を生成するステップ（906）であって、各同相成分乗算セルが、同相成分アナログ出力信号を前記複数の同相成分ビットのうちの1つの同相成分ビットに応じて生成する、前記複数の同相成分アナログ出力信号を生成するステップ（906）と、
複数の直交成分乗算セルの各直交成分乗算セルに、直交成分局部発振器信号、および前記複数の直交成分ビットのうちの1つの直交成分ビットを供給するステップ（908）と、
複数の直交成分アナログ出力信号を生成するステップ（910）であって、各直交成分乗算セルが、直交成分アナログ出力信号を前記複数の直交成分ビットのうちの1つの直交成分ビットに応じて生成する、前記複数の直交成分アナログ出力信号を生成するステップ（910）と、
同相で、第1集合の前記複数の同相成分アナログ出力信号、および第1集合の前記複数の直交成分アナログ出力信号を合成して第1アナログ信号を形成するステップ（912）と、
同相で、第2集合の前記複数の同相成分アナログ出力信号、および第2集合の前記複数の直交成分アナログ出力信号を合成して第2アナログ信号を形成するステップ（914）と、
前記第1アナログ信号および前記第2アナログ信号を出力伝送ラインで伝送するステップ（916）と、
を含み、
前記複数の同相成分乗算セルおよび前記複数の直交成分乗算セルは、第1行および第2行に配置され、
各同相成分ビットは、最上位から最下位までの有効桁数を有し、2進重み付けされた複数の同相成分乗算セルは、各同相成分ビットに接続され、前記2進重み付けされた複数に相当するビット数は、前記同相成分ビットの前記有効桁数に一致し、
各直交成分ビットは、最上位から最下位までの有効桁数を有し、2進重み付けされた複数の直交成分乗算セルは、各直交成分ビットに接続され、前記2進重み付けされた複数に相当するビット数は、前記直交成分ビットの前記有効桁数に一致し、
同相成分乗算セルは、最下位桁の同相成分ビットに接続され、かつ前記第1行の中心に配置され、
直交成分乗算セルは、最下位桁の直交成分ビットに接続され、かつ前記第2行の中心に配置され、
同相成分乗算セルは、最上位桁の同相成分ビットに接続され、かつ前記第2行の各端部に配置され、
直交成分乗算セルは、最上位桁の直交成分ビットに接続され、かつ前記第1行の各端部に配置される、
方法。
【請求項１１】
同相で、前記第1アナログ信号および前記第2アナログ信号を合成して合成出力信号（422、424、522、524）を形成するステップを更に含む、請求項10に記載の方法。
【請求項１２】
前記複数の同相成分アナログ出力信号を生成するステップは、前記同相成分ビットを、無線周波数搬送波で直接変調することを含み、前記複数の直交成分アナログ出力信号を生成するステップは、前記直交成分ビットを前記無線周波数搬送波（214）で直接変調することを含む、請求項11に記載の方法。